(57)【要約】【課題】  従来の洗車具は、洗浄面が約１５〜２０ｃｍであり、自動車の外面の広い部分を洗浄するには手間がかかった。また、例えば、本体に樹脂を用いた場合は、洗車具の重量が嵩み、肉体的な負担が大きかった。さらに、樹脂製品では断熱効果が少ないため、特に冬季の洗車作業が辛いものとなっていた。【手段】  発泡スチロール等の軽量かつ断熱素材からなる、三角、曲面、平面形状等の先端部と、山形、曲面、平面形状等の後端部で形成される本体と、該本体の上面に設けた前記軽量かつ断熱素材からなる握りと、前記本体の下面に設けたウレタンフォームからなる接触体で構成し、軽快に洗車作業が行える洗車具を提供する。【選択図】        図６
2006321456.tif 000002
【特許請求の範囲】
【請求項１】
発泡スチロール等の軽量かつ断熱素材からなる、三角、曲面、平面形状等の先端部と、山形、曲面、平面形状等の後端部で形成される本体と、該本体の上面に設けた前記軽量かつ断熱素材からなる握りと、該本体の下面に設けた洗浄用、ワックス用等のウレタンフォームからなる軟質性接触体で構成した洗車具。
【請求項２】
請求項１に記載の本体及び／又は握りの素材が、発泡スチロールとウレタンフォームを接合した軽量かつ断熱素材からなる洗車具。
【請求項３】
請求項１に記載の本体の後端部が半截切欠部とする洗車具。
【請求項４】
請求項１乃至請求項３に記載の本体と接触体が相似形である洗車具。
【請求項５】
請求項１乃至請求項３に記載の本体と接触体が異形である洗車具。
【請求項６】
請求項１に記載の本体の先端部及び／又は後端部にブラシを設けた洗車具。
【発明の詳細な説明】
【技術分野】
【０００１】
本発明は、自動車の外面を洗浄する際に用いられ、保温性に優れ、軽量かつ柔軟性に富み、車体の細部をも容易に洗浄することができる洗車具である。
【背景技術】
【０００２】
従来から、自動車の外面を洗浄するために、自動車専用の洗車具が用いられてきており、カーショップやホームセンター等で多種多様の洗車具が販売されてきている。例えば、従来の洗車具として、洗車用スポンジがある（文献１）。また、大型洗車用ブラシがある（文献２）。さらに車用に限定していない清掃用具として、払拭清掃用具及び清掃シートそしてその組合せ体がある（文献３）。
【０００３】
文献１は、特開２００１−１２８９１５の洗車用スポンジである。内容は、柔軟性を備えた合成樹脂発泡体からなる直方体のスポンジ体の上面及び下面に、一定の間隔、深さを維持した複数の切り込みが設けられ、この切り込みがスポンジの上面及び下面に、複数の均一な菱形形状と、２種類の複数の二等辺三角形形状を形成する構成である。
【０００４】
文献２は、実用新案登録第３０９１０７９号の大型洗車用ブラシである。内容は、洗車ブラシのブラシ部分の形状が大型であり、内側にわん曲を成し、柄の握り部分として２箇所形成することを特徴とした構成である。
【０００５】
文献３は、実用新案登録番号第３０３９６４２号の払拭清掃用具及び清掃シートそしてその組合せ体である。内容は、多孔性樹脂で形成されるプレート部と該プレート部の上面に連結された握持部とを有し、プレート部の底面を清掃シートで覆うように取りつける構成である。
【０００６】
【特許文献１】特開２００１−１２８９１５
【特許文献１】実用新案登録第３０９１０７９号
【特許文献１】実用新案登録第３０３９６４２号
【発明の開示】
【発明が解決しようとする課題】
【０００７】
しかし、文献１の洗車用スポンジは、前記スポンジの上面を掌及び指の腹で押さえて洗車作業を行うため、洗車する際に水や洗浄液がスポンジを通して掌及び指に触れてしまい、特に冬季に洗車作業を行う場合は辛い作業となる。
【０００８】
また、文献２の大型洗車用ブラシは、従来の洗車ブラシよりも大型であるため、自動車の外面の細部を洗浄する場合は、該大型洗車用ブラシの重さや操作性等の点を考慮すると問題があり、肉体的な負担が大きかった。また、ブラシのわん曲が十分でないため、例えば、自動車のバンパー部の上面と前面を一度に洗浄することが困難となる場合も考えられる。
【０００９】
さらに、文献３の払拭清掃用具及び清掃シートそしてその組合せ体は、プレート部、前部、スリット、握持部、連結部等からなる複雑な構成となっており、当然に複雑な生産工程を経て製作されるものであるため、製造に手間を要し、その結果コスト高となる問題等が考えられる。
【００１０】
そこで本発明は、上記問題点を解決するため、以下のような手段とした。
【課題を解決するための手段】
【００１１】
第１の発明は、発泡スチロール等の軽量かつ断熱素材からなる、三角、曲面、平面形状等の先端部と、山形、曲面、平面形状等の後端部で形成される本体と、該本体の上面に設けた該軽量かつ断熱素材からなる握りと、該本体の下面に設けたウレタンフォームからなる洗浄用、ワックス用等の軟質性接触体で構成した洗車具である。
【００１２】
第２の発明は、請求項１に記載の本体及び／又は握りの素材が、発泡スチロールとウレタンフォームを接合した軽量かつ断熱素材からなる洗車具である。
【００１３】
第３の発明は、請求項１に記載の本体の後端部が半截切欠部とする洗車具である。
【００１４】
第４の発明は、請求項１乃至請求項３に記載の本体と接触体が相似形である洗車具である。
【００１５】
第５の発明は、請求項１乃至請求項３に記載の本体と接触体が異形である洗車具である。
【００１６】
第６の発明は、請求項１に記載の本体の先端部及び／又は後端部にブラシを設けた洗車具。
【発明の効果】
【００１７】
第１の発明によれば、本体が軽量素材であるため、洗車という肉体的負担をともなう作業の負担を軽減することができる。従って、特に高齢者、女性、子ども等が本発明を使用して洗車作業を行った場合でも、肉体的な負担が少なくなるため、軽快に洗車作業を行うことができる。また、本体が断熱素材であるため、保温効果に優れている。さらに握りを軟らかな素材とすることで、握りを握った際にグリップ力が増し、十分な力を入れて洗車作業を行うことができる。また、本体が発泡スチロールであって安価で販売できる場合は、本発明は使い捨てタイプとして活用することもできる。なお本発明は大きなものではないため、本発明を廃棄する際、地球環境に悪影響を与えることは少ない。本体の先端部が山角形状等で、後端部が山形形状等であるため、先端部や後端部で自動車の外面の細部、例えば、フロントグリル部や、自動車のドア部と樹脂素材を使用した部分（サイドモール等）の間等を洗浄するのに便利である。また、従来の洗車具は、一般的には、ブラシ等の汚れを拭き取る部分が約１５ｃｍから２０ｃｍ程度であったが、本発明の接触体は２５〜４０ｃｍ程度であり、従来の洗車具に比べて汚れを拭き取る部分が大きいため、洗車作業が今までより短時間に行うことができる。
【００１８】
第２の発明によれば、本体及び／又は握りの素材が、発泡スチロールとウレタンフォームを接合した軽量かつ断熱素材からなる。従って、発泡スチロールにウレタンフォームを接合したり、ウレタンフォームに発泡スチロールを接合したり、また、発泡スチロールとウレタンフォームを重層することもでき、経済状況等において素材の入手が困難な場合には、本体及び／又は握りにおける発泡スチロールやウレタンフォームの割合を調節することもできる。
【００１９】
第３の発明によれば、請求項１に記載の本体の後端部が半截切欠部であって、半截切欠部の側面にもウレタンフォームが設けられているため、半截切欠部で自動車のバンパー部を洗浄することができる。具体的には、本体の後端部である半截切欠部を自動車のバンパー部に使用すると、バンパー部の前面と上面を一度に洗浄することができるため便利である。
【００２０】
第４の発明によれば、請求項１乃至請求項３に記載の本体と接触体が相似形であるため、本発明を製造する場合は、本体と接触体を一体成形して、その後に一度で本発明の形状に裁断することができる。
【００２１】
第５の発明によれば、請求項１乃至請求項３に記載の本体と接触体が異形であるため、本体に比べて接触体が大きい場合は接触体の端部がしなやかに変形し、自動車の外面の角がある部分等を洗浄する場合は、接触体の内側端部が本体の側面に当接し、接触体の外側端部が自動車の外面の角がある部分等に当接することになる。従って、自動車の外面の角がある部分等を容易に洗浄することができる。
【００２２】
第６の発明によれば、請求項１に記載の本体の先端部及び／又は後端部にブラシを設けているため、ブラシで汚れがひどい部分を洗浄することができる。また、本発明によっても、本体部のブラシを自動車のバンパー部に使用すると、バンパー部の正面と上面を一度に洗浄することができるため便利である。
【発明を実施するための最良の形態】
【００２３】
次に、本発明を図面に従って説明する。
【００２４】
図１は、本発明を用いて自動車の屋根部を洗浄している図である。図２は、本発明を用いて自動車のバンパー部を洗浄している図である。図３は、本発明の裏面の接触体を用いて自動車の角がある部分を洗浄している図である。図４は、図２の拡大図である。図５は、図３の拡大図である。図６は、本発明の第１の実施例を示す斜視図である。図７は、本発明第１の実施例を示す平面図である。図８は、本発明の第１の実施例を示す裏面図である。図９は、本発明の第２の実施例を示す平面図である。図１０は、本発明の第２の実施例を示す側面図である。図１１は、本発明の第２の実施例を示す背面図である。図１２は、本発明の第３の実施例を示す平面図である。図１３は、本発明の第４の実施例を示す裏面図である。図１４は、本発明の第５の実施例を示す平面図である。図１５は、本発明の握りに鉄等の芯材を埋設した洗車具の断面図である。
【００２５】
本発明は、洗車具５０の接触体３が大きいため、従来の洗車具を用いて洗車作業を行った場合に比べて、短時間で洗車作業を行うことができる。従って、図１のように、本発明を使用して洗車作業を行うと、自動車６０の屋根部６２といった高い場所でも洗車し易く、短時間で行うことができるので、特に背の低い人が本発明を使用しても、自動車６０の屋根部６２といった高い部分を洗浄するという苦痛な作業を短時間で終わらせることができ、有用である。
【００２６】
図２のように、本発明の第２の実施例である本体１の後端部５の半截切欠部１３にブラシ７が設けてある場合は、バンパー部６３の前面６３Ａと上面６３Ｂを同時に洗浄することができ、洗車作業にかける時間を短縮することができる。
【００２７】
図３のように、接触体３が本体１よりも大きい場合は、自動車のバンパー部６３を洗浄する際、接触体３の端部がしなやかに変形するため、接触体３の外側端部３Ｃが自動車の外面６１に当接し、接触体３の内側端部３Ｂが本体側面１Ｃに当接する。従って、自動車の角がある部分６４を洗浄するのに適している。
【００２８】
図４は、図２の拡大図である。本体１の後端部５の半截切欠部１３に設けたブラシ７は、接触体３であるウレタンフォームよりも硬い材質のものを用いている。従って、夏季の夜間に山間部の高速道路を走行した際にバンパー部６３に付着する虫等の死骸を容易に洗い落すことができる。
【００２９】
図５は、図３の拡大図である。
【００３０】
図６は本発明の第１の実施例を示した斜視図であるが、本体１の先端部４が三角形状１１、後端部５が山形形状１２からなり、本体部の素材は、発泡スチロール等の軽量かつ断熱素材からなっている。また、本体１の上面１Ａに前記軽量かつ断熱素材からなる握り２を設けており、一般的には本体１と本体１の上面１Ａに設けられた握り２は、一体成形される。握持しやすいように本体１と握り２との間は、空洞６となっている。さらに、本体１の下面１Ｂに接触体３を設けている。
【００３１】
本発明に係る洗車具を製作する場合、本発明の形状に裁断した後に本体１と接触体３を結合したり、本体１と接触体３を一体成形し、その後、一度に本発明の形状に裁断する方法がある。また、本体１に反射板を設けることも可能であり、事故等の緊急時には反射板が設けてある本体１を振って救助を要請することもできる。本体１と握り２との間に紐等を通し、該紐等を壁の釘等に掛けると、本発明の保管が容易となり、紛失を防止することができる。
【００３２】
また、本体１の形状は任意であり、本図に表したものの他、本体１の先端部４が三角形状１１や、後端部５が山形形状１２や丸みを帯びたものや、本体１の全体が丸みを帯びたもの、さらには、本体１を平面視すると、略ハート形状を構成し、該略ハート形状の略中央から分裂させて２個の本体１を構成し、２個の本体１を組合せると１個の略ハート形状をなすものも一例として考えられる。本発明の本体の素材は、発泡スチロールの他、ポリウレタンや発泡ユリア樹脂等を用いることもできる。
【００３３】
図７は、図６の平面図である。本発明の全長Ｘは、長ければ長いほど本発明の面積が広くなり、接触体３も広がるため、洗車作業にかける時間が短縮される。しかし、操作性等を考慮すると、全長Ｘは、略２５ｃｍ〜４０ｃｍ程度が望ましい。本発明の幅Ｙは、広ければ広いほど本発明の面積が広くなり、接触体３も広がるため、洗車作業にかける時間が短縮される。しかし、操作性等を考慮すると、幅Ｙは、略８〜１５ｃｍ程度が望ましい。
【００３４】
また、本体１及び／又は、握り２に企業名等を入れることもでき、広告媒体としても利用できる。そして、企業名を入れた場合は、企業のノベルティーグッズとすることも可能である。本体１及び／又は握り２の色彩は、購買層を意識した様々な色彩を用いることができる。また、本体１及び／又は握り２に模様等を用いることも任意である。この点は、後述する他の実施例においても同様である。
【００３５】
図８は、図６の裏面図である。本体１の下面１Ｂに接触体を設けている。本図では自動車６０の外面６１と接する接触体３の形状を平坦形状としている。しかし、自動車６０の外面６１と接する接触体３は、凹凸形状としても平坦形状としてもよいことは勿論である。
【００３６】
図９に示すように、本発明の第２の実施例である洗車具５０の本体１の後端部５の半截切欠部１３にブラシ７を設けている。
【００３７】
図１０は、図９を側面から図示したものである。本体１と、本体１の上面１Ａに設けられている握り２との間は、握持しやすいように空洞６となっている。本体１から握り２に掛かる部分は、緩やかなテーパー形状１０を構成しており、握り２から本体１に掛かる部分もテーパー形状１０を構成している。本体１の後端部５の半截切欠部にブラシ７を設けている。
【００３８】
図１１は、図９を後端部５側よりみた図である。本体１の略中央に握り２が設けられている。幅方向ＹＡの略２／３程度の部分を半截切欠部１３とし、その半截切欠部１３にブラシ７を設けている。本体１の、ブラシ７が設けられている部分の下部には接触体３であるウレタンフォームは設けられていないが、ブラシ７が設けられていない本体１には接触体３であるウレタンフォームが設けられている。
【００３９】
図１２は、本発明の第３の実施例を示したものであり、本体部１よりも接触体３の方が大きい洗車具５０の平面図である。本発明を用いて自動車６０の外面６１の角がある部分６４を洗浄する場合は、接触体３の端部がしなやかに変形するため、接触体３の内側端部３Ｂが本体部１の側面１Ｃに当接し、接触体３の外側端部３Ｃが自動車６０の外面６１の角がある部分６４等に当接することになる。従って、自動車６０の外面６１の角がある部分６４等を洗浄するのに便利である。
【００４０】
図１３は、本発明第４の実施例を示したものであり、接触体３よりも本体１の方が大きい洗車具５０の裏面図である。本発明では、本体１と接触体３が相似形である場合又は、接触体３が本体１よりも大きい場合に比べて、接触体３と洗浄を行う自動車６０の外面６１の摩擦係数が小さくなり、軽やかに洗車作業を行うことができる。
【００４１】
図１４は、本発明の第５の実施例を示したものであり、本体部１の先端部４が三角形状部１１で後端部５が平面形状となっている洗車具５０の平面図である。
【００４２】
図１５は、握りに鉄等の芯材を埋設した洗車具５０の断面図である。
【００４３】
また、本発明においては、本体１の先端部４や後端部５の形状と、本体１の先端部４や後端部５に設けた半截切欠部１３の組合せは任意であり、種々のバリエーションが考えられる。
【図面の簡単な説明】
【００４４】
【図１】本発明を用いて自動車の屋根部を洗浄している図である。
【図２】本発明を用いて自動車のバンパー部を洗浄している図である。
【図３】本発明の裏面の接触体を用いて自動車の角がある部分を洗浄している図である。
【図４】図２の拡大図である。
【図５】図３の拡大図である。
【図６】本発明の第１の実施例を示す斜視図である。
【図７】本発明の第１の実施例を示す平面図である。
【図８】本発明の第１の実施例を示す裏面図である。
【図９】本発明の第２の実施例を示す平面図である。
【図１０】本発明の第２の実施例を示す側面図である。
【図１１】本発明の第２の実施例を示す背面図である。
【図１２】本発明の第３の実施例を示す平面図である。
【図１３】本発明の第４の実施例を示す裏面図である。
【図１４】本発明の第５の実施例を示す平面図である。
【図１５】本発明の握りに鉄等の芯材を埋設した洗車具の断面図である。
【符号の説明】
【００４５】
１          本体
１Ａ        上面
１Ｂ        下面
１Ｃ        側面
２          握り
３          接触体
３Ａ        下面
３Ｂ        内側端部
３Ｃ        外側端部
４          先端部
５          後端部
６          空洞
７          ブラシ
１０        テーパー形状
１１        三角形状
１２        山形形状
１３        半截切欠部
５０        洗車具
６０        自動車
６１        外面
６２        屋根部
６３        バンパー部
６３Ａ      前面
６３Ｂ      上面
６４        角がある部分
Ｘ          全長
ＸＡ        長手方向
Ｙ          幅
ＹＡ        幅方向
【図１】
2006321456.tif 000003
【図２】
2006321456.tif 000004
【図３】
2006321456.tif 000005
【図４】
2006321456.tif 000006
【図５】
2006321456.tif 000007
【図６】
2006321456.tif 000008
【図７】
2006321456.tif 000009
【図８】
2006321456.tif 000010
【図９】
2006321456.tif 000011
【図１０】
2006321456.tif 000012
【図１１】
2006321456.tif 000013
【図１２】
2006321456.tif 000014
【図１３】
2006321456.tif 000015
【図１４】
2006321456.tif 000016
【図１５】
2006321456.tif 000017